【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
遊技域に始動口を備え、該始動口に入球すると乱数値を発生させ、該乱数値により当否及び図柄の変動態様を決定する弾球遊技機であって、
前記乱数値を複数記憶可能な保留手段と、
前記乱数により当否を判定する当否判定手段と、
該当否判定手段により当りと判定された際には、該乱数に対応する前記図柄の変動の後、前記遊技域に形成された大入賞口を開放させる大当り遊技発生手段と、
前記始動口入賞時に取得した前記乱数の値に基づき、該乱数値に対応する前記図柄の変動に先んじた演出動作を行うか否かを判定する先読み演出判定手段と、
該先読み演出判定手段により前記演出動作を行なうと判定された際には該演出動作を行なう演出実行手段と   を備えた弾球遊技機において、
前記大入賞口は前記遊技域に複数形成されており、
前記大当り遊技発生手段は、前記乱数値に応じて前記大入賞口を複数通りの開放パターンにて開放させるものであり、
前記先読み演出判定手段は、前記始動口入賞時に取得した前記乱数を、該乱数に対応する図柄変動が開始される前に参照し、その判定をした結果および該判定に用いられた前記乱数値に対応する前記開放パターンに基づき、該乱数値に対応する前記図柄の変動に先んじた演出動作を行うか否かを判定するものである
ことを特徴とする弾球遊技機。
【請求項２】
遊技域に始動口を備え、該始動口に入球すると乱数値を発生させ、該乱数値により当否及び図柄の変動態様を決定する弾球遊技機であって、
前記乱数値を複数記憶可能な保留手段と、
前記乱数により当否を判定する当否判定手段と、
該当否判定手段により当りと判定された際には、該乱数に対応する前記図柄の変動の後、前記遊技域に形成された大入賞口を開放させる大当り遊技発生手段と、
前記始動口入賞時に取得した前記乱数の値に基づき、該乱数値に対応する前記図柄の変動に先んじた演出動作を行うか否かを判定する先読み演出判定手段と、
該先読み演出判定手段により前記演出動作を行なうと判定された際には該演出動作を行なう演出実行手段と   を備えた弾球遊技機において、
前記保留手段に記憶された前記乱数に基づいて小当り遊技を発生させるか否かを判定する小当り判定手段と、
該小当り判定手段により小当りと判定された際には、該乱数に対応する前記図柄の変動の後、前記大入賞口を開放させる小当り遊技発生手段と、
前記始動口入賞時に取得した前記乱数の値に基づいて前記小当り遊技発生手段が前記小当り遊技を発生させるか否かを、該乱数の値に対応する前記図柄の変動に先んじて判定する小当り先読み手段と、
を備え、
前記大当り遊技発生手段は、前記乱数値に応じて前記大入賞口を複数通りの開放パターンにて開放させるものであって、前記複数通りの開放パターンの少なくとも１つが、前記小当り遊技発生手段により発生される前記大入賞口の開放パターンと同じ開放パターンを始めに行なった後、該開放パターンよりも遊技者に有利な開放パターンとなる発展型開放パターンであり、
前記先読み演出判定手段は、前記始動口入賞時に取得した前記乱数を、該乱数に対応する図柄変動が開始される前に参照し、その判定をした結果および該判定に用いられた前記乱数値に対応する前記開放パターンに基づき、該乱数値に対応する前記図柄の変動に先んじた演出動作を行うか否かを判定するものであり、更に、前記小当り先読み手段による判定結果に基づき、前記乱数値に対応する前記図柄の変動に先んじた演出動作を行うか否かを判定するものであって、前記小当り遊技発生手段により小当りが発生される際と、前記大当り遊技発生手段により前記発展型開放パターンにて前記大入賞口が開放される際には、それぞれ行なうか否かを判定する前記演出動作が互いに同じである
ことを特徴とする弾球遊技機。
【請求項３】
前記大当り遊技発生手段により発生される全ての開放パターンは、複数回の開放動作を１ラウンドとすること及び１回の開放動作の時間を一定としないことの少なくとも一方が設定されていることにより、ラウンド数が全て同じにされていること
を特徴とする請求項１または２に記載の弾球遊技機。
【請求項４】
前記演出実行手段は、当該弾球遊技機の遊技状態に応じて、前記演出動作の内容を決定するものである
ことを特徴とする請求項１から３のいずれか１項に記載の弾球遊技機。
【請求項５】
請求項１〜４のいずれか１項に記載の弾球遊技機において、
少なくとも、前記保留手段と、前記当否判定手段を備えた主制御装置と、
少なくとも、前記演出実行手段と、前記先読み演出判定手段とを備えた演出制御装置と、
を有し、
前記主制御装置は、前記当否判定手段による前記乱数の判定結果と、該乱数に対応する前記開放パターンとを前記演出制御装置に送信し、
前記先読み演出判定手段は、前記主制御装置から受信した前記判定結果および前記開放パターンから、乱数値に対応する前記図柄の変動に先んじた演出動作を行うか否かを判定するものであることを特徴とする弾球遊技機。
【手続補正２】
【補正対象書類名】明細書
【補正対象項目名】０００７
【補正方法】変更
【補正の内容】
【０００７】
上記課題を解決するためになされた本発明の請求項１記載の本発明は、遊技域に始動口を備え、該始動口に入球すると乱数値を発生させ、該乱数値により当否及び図柄の変動態様を決定する弾球遊技機であって、前記乱数値を複数記憶可能な保留手段と、前記乱数により当否を判定する当否判定手段と、該当否判定手段により当りと判定された際には、該乱数に対応する前記図柄の変動の後、前記遊技域に形成された大入賞口を開放させる大当り遊技発生手段と、前記始動口入賞時に取得した前記乱数の値に基づき、該乱数値に対応する前記図柄の変動に先んじた演出動作を行うか否かを判定する先読み演出判定手段と、該先読み演出判定手段により前記演出動作を行なうと判定された際には該演出動作を行なう演出実行手段と   を備えた弾球遊技機において、前記大入賞口は前記遊技域に複数形成されており、前記大当り遊技発生手段は、前記乱数値に応じて前記大入賞口を複数通りの開放パターンにて開放させるものであり、前記先読み演出判定手段は、前記始動口入賞時に取得した前記乱数を、該乱数に対応する図柄変動が開始される前に参照し、その判定をした結果および該判定に用いられた前記乱数値に対応する前記開放パターンに基づき、該乱数値に対応する前記図柄の変動に先んじた演出動作を行うか否かを判定するものであることを特徴とする。
【手続補正３】
【補正対象書類名】明細書
【補正対象項目名】０００８
【補正方法】変更
【補正の内容】
【０００８】
なお、ここでいう大当り遊技（単に大当りとも言う）とは、所定の開放回数、開放時間を１単位のラウンド遊技とし、そのラウンド遊技を連続的に複数回与える期間（場合によってはラウンド遊技を１回しか付与しない構成も考えられる）をいう。また、開放パターンとは、前記ラウンド遊技の開放回数、開放時間をさす場合もあれば、大当り遊技全体としてのラウンド数、開放回数、開放時間をさす場合もあるし、大当り遊技に用いられる大入賞口が何れであるかを示すのも開放パターンと呼ぶものとする。なお、開放パターンの態様として「大入賞口が全く開かない」というパターンも含むものとする。すなわち「はずれ」の場合の開放パターンも含まれる。また、演出動作は１種類とは限らない。従って、「演出動作を行うか否かを判定」とは、「演出動作Ａは行なうが、演出動作Ｂは行なわない」という判定結果が出る判定も含まれる。つまり、演出動作が複数ある場合には、これらの演出動作の内のどれを行うかを判定するという態様も先読み演出判定手段に含まれる。また、このような当否および開放パターンに応じた演出動作を行なうだけでなく、旧来の当否判定に基づく演出動作を行なう場合があっても構わない。
【手続補正４】
【補正対象書類名】明細書
【補正対象項目名】０００９
【補正方法】変更
【補正の内容】
【０００９】
本発明の参考例は、請求項１に記載の弾球遊技機において、前記保留手段に記憶された前記乱数に基づいて小当り遊技を発生させるか否かを判定する小当り判定手段と、該小当り判定手段により前記小当り遊技を発生させると判定された際には、該乱数に対応する前記図柄の変動の後、前記大入賞口を開放させる小当り遊技発生手段と、前記始動口入賞時に取得した前記乱数の値に基づいて前記小当り遊技発生手段が前記小当り遊技を発生させるか否かを、該乱数の値に対応する前記図柄の変動に先んじて判定する小当り先読み手段とを備え、前記大当り遊技発生手段により発生される前記複数通りの開放パターンの少なくとも１つが、前記小当り遊技発生手段により発生される前記大入賞口の開放パターンと同じであり、前記先読み演出判定手段は、更に、前記小当り先読み手段による判定結果に基づき、前記乱数値に対応する前記図柄の変動に先んじた演出動作を行うか否かを判定するものであること)を特徴とする。
【手続補正５】
【補正対象書類名】明細書
【補正対象項目名】００１１
【補正方法】変更
【補正の内容】
【００１１】
請求項２に記載の本発明は、遊技域に始動口を備え、該始動口に入球すると乱数値を発生させ、該乱数値により当否及び図柄の変動態様を決定する弾球遊技機であって、前記乱数値を複数記憶可能な保留手段と、前記乱数により当否を判定する当否判定手段と、該当否判定手段により当りと判定された際には、該乱数に対応する前記図柄の変動の後、前記遊技域に形成された大入賞口を開放させる大当り遊技発生手段と、前記始動口入賞時に取得した前記乱数の値に基づき、該乱数値に対応する前記図柄の変動に先んじた演出動作を行うか否かを判定する先読み演出判定手段と、該先読み演出判定手段により前記演出動作を行なうと判定された際には該演出動作を行なう演出実行手段と   を備えた弾球遊技機において、前記保留手段に記憶された前記乱数に基づいて小当り遊技を発生させるか否かを判定する小当り判定手段と、該小当り判定手段により小当りと判定された際には、該乱数に対応する前記図柄の変動の後、前記大入賞口を開放させる小当り遊技発生手段と、前記始動口入賞時に取得した前記乱数の値に基づいて前記小当り遊技発生手段が前記小当り遊技を発生させるか否かを、該乱数の値に対応する前記図柄の変動に先んじて判定する小当り先読み手段と、を備え、前記大当り遊技発生手段は、前記乱数値に応じて前記大入賞口を複数通りの開放パターンにて開放させるものであって、前記複数通りの開放パターンの少なくとも１つが、前記小当り遊技発生手段により発生される前記大入賞口の開放パターンと同じ開放パターンを始めに行なった後、該開放パターンよりも遊技者に有利な開放パターンとなる発展型開放パターンであり、前記先読み演出判定手段は、前記始動口入賞時に取得した前記乱数を、該乱数に対応する図柄変動が開始される前に参照し、その判定をした結果および該判定に用いられた前記乱数値に対応する前記開放パターンに基づき、該乱数値に対応する前記図柄の変動に先んじた演出動作を行うか否かを判定するものであり、更に、前記小当り先読み手段による判定結果に基づき、前記乱数値に対応する前記図柄の変動に先んじた演出動作を行うか否かを判定するものであって、前記小当り遊技発生手段により小当りが発生される際と、前記大当り遊技発生手段により前記発展型開放パターンにて前記大入賞口が開放される際には、それぞれ行なうか否かを判定する前記演出動作が互いに同じであることを特徴とする。
【手続補正６】
【補正対象書類名】明細書
【補正対象項目名】００１３
【補正方法】変更
【補正の内容】
【００１３】
請求項３に記載の本発明は、請求項２に記載の弾球遊技機において、前記大当り遊技発生手段により発生される全ての開放パターンは、複数回の開放動作を１ラウンドとすること及び１回の開放動作の時間を一定としないことの少なくとも一方が設定されていることにより、ラウンド数が全て同じにされていることを特徴とする。
【手続補正７】
【補正対象書類名】明細書
【補正対象項目名】００１５
【補正方法】変更
【補正の内容】
【００１５】
請求項４に記載の本発明は、請求項１から３のいずれか１項に記載の弾球遊技機において、前記演出実行手段は、当該弾球遊技機の遊技状態に応じて、前記演出動作の内容を決定するものであることを特徴とする。
ここで遊技状態としては、当否抽選の確率を高確率となる確変遊技状態、普通電動役物の開放時間が延長されるとともに特別図柄の平均変動時間が短縮される時短遊技状態、確変と時短がともに付与される確変時短遊技状態、および確変も時短も付与されない通常の遊技状態などが挙げられる。
【手続補正８】
【補正対象書類名】明細書
【補正対象項目名】００１６
【補正方法】変更
【補正の内容】
【００１６】
請求項５に記載の本発明は、請求項１〜４のいずれか１項に記載の弾球遊技機において、少なくとも、前記保留手段と、前記当否判定手段を備えた主制御装置と、少なくとも、前記演出実行手段と、前記先読み演出判定手段とを備えた演出制御装置とを有し、前記主制御装置は、前記当否判定手段による前記乱数の判定結果と、該乱数に対応する前記開放パターンとを前記演出制御装置に送信し、前記先読み演出判定手段は、前記主制御装置から受信した前記判定結果および前記開放パターンから、乱数値に対応する前記図柄の変動に先んじた演出動作を行うか否かを判定するものであることを特徴とする。
なお、大当り遊技発生手段は通常、主制御装置に設けられるが、主制御装置以外の構成に設けても構わない
【手続補正９】
【補正対象書類名】明細書
【補正対象項目名】００１８
【補正方法】変更
【補正の内容】
【００１８】
本発明の参考例の遊技機において先読み演出判定手段は、大当りになるか否か、開放パターンはいかなるものであるかに加え、小当り遊技になるか否かに応じても、先読み演出を行なうか否かを判定する。従って、当否（大当りに関するもの）、開放パターンに加え、小当り遊技（以下、単に小当たりともいう）になるか否かに応じても、先読み演出の内容を変えることが可能となる。このような先読み演出を見た遊技者は、例えば演出動作Ｃが発生したので、小当りが発生するかもしれないという心積もりをすることができる。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
請求項２に記載の本発明は、参考例の遊技機に近いが、大当りの複数の開放パターンの中に、始めは小当りの開放パターンと同じだが、途中から小当りよりも遊技者に有利な開放パターンに変化する発展型開放パターンが存在する点が異なり（なお、参考例と同様、小当りと全く同じ開放パターンを備えた上で、更に発展型開放パターンを備えていても構わない）、更に、小当りの場合に行うか否かを判定される演出動作と、発展型開放パターンの際に行うか否かを判定される演出動作とが同じにされている。
【手続補正１２】
【補正対象書類名】明細書
【補正対象項目名】００２２
【補正方法】変更
【補正の内容】
【００２２】
しかも、大当りの開放パターンの中に、小当りの開放パターンと同じものが存在するので、これらの開放パターンのいずれかが発生しても、遊技者からはそれが大当りなのか小当りなのかが判然としない。特にこの大当りの場合には当該遊技機の当選確率が上昇し、小当りの場合には当選上昇しないように構成すると、いわゆる潜伏といわれる状態に移行する。このような弾球遊技機によれば、小当りであったか大当りであったかを遊技者に明示しない当りが発生することを先読み演出により予告することが可能となる。
なお、この主旨から、演出実行手段は、これらに対する演出動作として互いに同一の先読み演出を行なうことが効果的であるが、全く同じである必要はない。異なる先読み演出としては、例えば演出動作を行なうか否かの振り分け率を変えることが考えられる。具体的には、前記大当りの場合には、６０％の確率で演出動作Ｂを行なう（４０％の確率で演出動作Ｂを行なわない）が、小当りの場合には３０％の確率で演出動作Ｂを行なう（７０％の確率で演出動作Ｂを行なわない）といったことが考えられる。
ところで、請求項２に記載の遊技機のように演出動作を互いに同一にしても、遊技者が容易に両者を判別できるケースがある。それは、遊技機が異なるラウンド数からなる複数種類の大当りを有している場合である。こうした場合には、遊技者が大当り状態を獲得した場合に、その大当りのラウンド数を遊技機が備える状態報知装置により遊技者に報知することになっている。従って遊技者はラウンド数が報知されたか否かを見ることにより、大当り（ラウンド数が報知される）か小当り（ラウンド数が報知されない）かを判別できる。換言すると、大当りの開放パターンが複数あっても、ラウンド数が同じであれば、ラウンド数を遊技者に報知しなくても良い。
【手続補正１３】
【補正対象書類名】明細書
【補正対象項目名】００２３
【補正方法】変更
【補正の内容】
【００２３】
請求項３に記載の遊技機は、そうした遊技機に適用したものである。従って、遊技者はこの報知動作を見ることができず、大当りか小当りか分からない開放パターンが発生することに対する先読み演出が一層効果的となる。
【手続補正１４】
【補正対象書類名】明細書
【補正対象項目名】００２４
【補正方法】変更
【補正の内容】
【００２４】
請求項４に記載の遊技機において、演出実行手段は、当該弾球遊技機の遊技状態に応じて、前記演出動作の内容を決定する。これにより、先読み演出判定手段による判定結果に応じて演出動作を変更させるだけでなく、遊技状態に応じてもその演出動作を変更させることが可能となる。これにより例えば、遊技状態が、普通電動役物の開放時間が延長され、大当り確率が高い状態である場合には、潜伏状態に移行することを予告する演出動作を行なっても、遊技者は嬉しくないので、こうした遊技状態の場合には、潜伏状態に移行する演出をとりやめるといったことが可能となる。
【手続補正１５】
【補正対象書類名】明細書
【補正対象項目名】００２５
【補正方法】変更
【補正の内容】
【００２５】
請求項５に記載の遊技機は、主制御装置と、演出制御装置とを備えており、主制御装置から演出制御装置に、乱数値に基づく当否の判定結果および開放パターンが送信される。そして演出制御装置において、演出動作を行なうか否かが判定される。
このように構成された遊技機によれば、主制御装置において、演出動作を行なうか否かを判定する必要がなくなるので、主制御装置の処理負担を軽減することができる。また、演出制御装置において、演出動作を行なうか否かが判定されるので、主制御装置から当否の判定結果や開放パターンが送信されてきても、演出制御装置の処理負担状況などに応じて、本来行なうべき演出動作を割愛するといったことも可能となる。